(57)【要約】【課題】  各個人の体型や好み等に合わせて、体圧に応じた細かい体圧分散を図り、しかも、体型や好みなどが変化した場合でもきめ細かく対応することができ、良好な寝心地が得られるマットレスを提供する。【解決手段】  上層と下層が積層されるポリウレタンフォーム製のマットレス１において、下層の上面に形成した複数の凸条体２ｔに、嵌め込み部材４を嵌め込み可能にし、嵌め込み部材４のアンダーカット形状部４ｋにより、マットレスの面と垂直方向に抜けにくくし、接着剤等を使用しないでマットレスを組立て使用できるようにするとともに、各嵌め込み部材４の物性を複数種類準備することで、マットレスの物性を局所的に変化させることができるようにする。【選択図】      図１
2015000319.tif 000002
【特許請求の範囲】
【請求項１】
合成樹脂発泡体からなる上層と下層が積層されるマットレスであって、
前記下層の上面は、横幅方向に延びる凸条部と凹条部が長手方向に対して交互に設けられて凹凸形状が形成され、
前記上層は、前記下層の凹凸形状に嵌め込み可能な、マットレスの長手方向に対して５〜１５個の嵌め込み部材で構成され、
前記嵌め込み部材は、前記下層の凹凸形状に嵌め込むためのアンダーカット形状部を有し、前記アンダーカット形状部によって該嵌め込み部材がマットレスの面と垂直方向に下層から離脱しにくくなるようにされることを特徴とする組立て式マットレス。
【請求項２】
前記下層の凹凸形状における凸条部の断面形状は、前記凸条部において、上方の頭部の横幅が下方の立ち上がり部の横幅に対して両側に広がって幅広となっていることを特徴とする請求項１に記載の組み立て式マットレス。
【請求項３】
前記嵌め込み部材は、異なる物性を有する２種以上からなり、これらの配置を任意に組み合わせ可能であることを特徴とする請求項１又は請求項２に記載の組立て式マットレス。
【請求項４】
前記下層は、マットレスの長手方向に対して複数の下層分割体から構成され、
隣り合う前記下層分割体同士は、継ぎ手部材によって連結可能にされることを特徴とする請求項１乃至請求項３のいずれか一項に記載の組立て式マットレス。
【請求項５】
前記下層分割体は、異なる物性を有する２種以上からなり、これらの配置を任意に組み合わせ可能であることを特徴とする請求項４に記載の組立て式マットレス。
【発明の詳細な説明】
【技術分野】
【０００１】
本発明は、例えば軟質ポリウレタンフォームなどの素材から構成されるマットレスにおいて、その硬さや感触などをその人の体型や好みなどに合わせて容易に調整することが可能な組立て式マットレスに関する。
【背景技術】
【０００２】
従来、例えば軟質ポリウレタンフォームなどの素材から構成されるマットレスにおいて、その人の体型や好みなどに合わせて硬さなどの物性を調整できるようにした技術として、三層構造のマットレスにおいて、最下層の硬さやクッション性などを変化させるようにした技術（例えば、特許文献１参照。）や、マットレスの表面に縦横の切り込み（溝）を設けることにより、部分的に硬さ等を変化させるようにした技術（例えば、特許文献２、特許文献３参照。）や、マットレスのパーツを入れ替え可能にして、部分的な物性を調整できるようにした技術（例えば、特許文献４参照。）などが知られている。
一方、上層と下層とが積層されるマットレスにおいて、両者の積層面に凹凸形状を形成し、上層と下層の凹凸形状部を嵌め込み式にすることで一体化するようにした技術（例えば、特許文献５参照。）も知られている。
【先行技術文献】
【特許文献】
【０００３】
【特許文献１】特開２００５−３１９０５９号公報
【特許文献２】特開２００４−１６６９２５号公報
【特許文献３】特開２００１−３２７３６６号公報
【特許文献４】特開２００４−４９３５３号公報
【特許文献５】特開２００６−９５０６７号公報
【発明の概要】
【発明が解決しようとする課題】
【０００４】
ところで、多層のマットレスを構成する場合、積層面に接着剤を使用したり、フレームラミネートなどの溶融で接合したりすると、接合面の硬さが増加しがちであり、各層に使用する軟質ポリウレタンフォーム等の素材が有する機能や物性を充分に活用できず、体圧分散性を損なう虞が生じる。また、積層面に接着剤層や溶融層などが生じ、上下方向の通気性が阻害され、使用時に蒸れ感等が発生し易くなるという不具合もある。
一方、マットレスの表面に溝や凹凸、プロファイル加工などを施す場合は、溝の深さや凹凸の形状等によって硬さ等の物性を変化させるようにしているが、各個人の好み等に対応しようとした場合、オーダーメード品となってしまい、時間やコストがかかると同時に、既製品であるため、購入後の体型や体調、好み等が変化した場合には細かく対応することが出来なかった。
【０００５】
また、特許文献４のように反発性の異なる部材を表地に収納し、各部材を差し替えることで好みに対応しようとした場合、使用時に各部材間の隙間を感じたり、荷重の高い部分では前記隙間が大きくなり、使用者に不快感を与える虞があるといった問題があった。
他にも、前記特許文献５のように、上層と下層が嵌め込み式に構成されている場合、積層面の硬さの増加や、通気性の阻害などの不具合は生じないものの、上層と下層が全面で一体物であるため、体型の変化や好みの変化などに応じたきめの細かい対応が不可能であり、しかも、使用時や持ち運び時に部分的に嵌め込みが外れ易く、またズレが生じ易いといった問題があった。
【０００６】
そこで本発明は、各個人の体型や好み等に合わせて、体圧に応じた細かい体圧分散を図り、また、体型や体調、好みなどが変化した場合にもきめ細かく対応することができ、良好な寝心地が得られるマットレスを提供することを目的とする。
【課題を解決するための手段】
【０００７】
（１）上記目的を達成するため本発明は、合成樹脂発泡体からなる上層と下層が積層されるマットレスであって、
前記下層の上面は、横幅方向に延びる凸条部と凹条部が長手方向に対して交互に設けられて凹凸形状が形成され、
前記上層は、前記下層の凹凸形状に嵌め込み可能な、マットレスの長手方向に対して５〜１５個の嵌め込み部材で構成され、
前記嵌め込み部材は、前記下層の凹凸形状に嵌め込むためのアンダーカット形状部を有し、前記アンダーカット形状部によって該嵌め込み部材がマットレスの面と垂直方向に下層から離脱しにくくされる組立て式マットレス。
ここで、マットレスの長手方向とは、その上で人が仰臥姿勢をとる際に頭と足を結ぶ線と並行な方向であり、横幅方向とはそれと直角な方向である。
（２）前記下層の凹凸形状における凸条部の断面形状は、前記凸条部において、上方の頭部の横幅が下方の立ち上がり部の横幅に対して両側に広がって幅広となっている（１）に記載の組み立て式マットレス。
（３）前記嵌め込み部材は、異なる物性を有する２種以上からなり、これらの配置を任意に組み合わせ可能である（１）又は（２）に記載の組立て式マットレス。
（４）前記下層は、マットレスの長手方向に対して複数の下層分割体から構成され、
隣り合う前記下層分割体同士は、継ぎ手部材によって連結可能にされる（１）乃至（３）のいずれかに記載の組立て式マットレス。
（５）前記下層分割体は、異なる物性を有する２種以上からなり、これらの配置を任意に組み合わせ可能である（４）に記載の組立て式マットレス。
【０００８】
このように、下層の上面に凹凸形状を形成し、上層を、前記凹凸形状に嵌め込み可能な嵌め込み部材として構成するとともに、嵌め込み部材のアンダーカット形状部によってマットレスの面に対し垂直方向に離脱しにくくし、嵌め込み部材をマットレスの長手方向に対して５〜１５個に分割することで、上層と下層を嵌め込むだけでマットレスを組み立てることができ、接着剤や溶融手段などを使用しなくても一体化が保持されるため、各層及び各部材を構成する軟質ウレタンフォームの通気性を損なうことがなく、物性が変化することもない。また、上層となる嵌め込み部材を５〜１５個に分割しているため、組立作業が楽に行え、しかも、異なった物性を有する嵌め込み部材の組み合わせの配列を変化させることで、局所的な特性を変化させることも可能となる。ここで、アンダーカット形状とは、金型で成形した成形品がそのままでは金型から抜けないような形状であり、例えば抜けにくくなるような引っ掛かり形状や逆テーパ形状などである。
【０００９】
前記下層に用いられるクッション材としては、一般フォーム材もしくは高弾性フォーム材が好ましく、ＪＩＳ  Ｋ  ６４００に準拠した硬さ（４０％圧縮時）が１００Ｎ以上、反発弾性は１５％以上のものであることが好ましい。そして、下層の物性をこのように設定することで、底付き感がなく、快適に身体を支持できるとともに、体圧分散性を良好にすることができる。
前記フォーム材としては軟質ポリウレタンフォームやポリエチレンフォーム等が挙げられ、一般にマットレスに用いているもので上記物性を有するものであれば特に限定されない。
【００１０】
また、下層のクッション材は複数の部材に分割してもよく、その分割数としては、１〜５個程度にすることが好ましく、特に好ましくは３〜５個である。これは、下層を分割し、且つ前記フォームの硬さや反発弾性等の各物性のうち何れか１つ以上が異なる２種以上の部材を組み合わせて構成すれば、個人の好みや体型等の変化により細かく対応することができる。
前記分割数において、５個までとする理由としては、５個を超えて分割すると、持ち上げるとき等に垂れ下がりが大きくなり、持ち運びが困難になるためである。
ちなみに、分割した下層同士を連結する方法としては、隣り合う部材同士を継ぎ手部材によって連結可能にした。
なお、下層を分割する際、それぞれの下層分割体２の物性を異ならせる一例として、例えば３個に分割した場合に、中央部の下層分割体２の硬さを両隣より硬くすることで、腰部から臀部にかけての沈み込みを抑制することできる。一方、腰痛などで腰部の負担を軽減させたいような場合には、前記例えで中央部に用いた硬い素材を脚部もしくは頭部側に用いることにより、腰部の負担を軽減させることができる。
【００１１】
次に、上層としての嵌め込み部材は、５〜１５個に分割されており、一般フォームまたは低弾性フォームから構成することが好ましく、その物性は、ＪＩＳ  Ｋ  ６４００に準拠した硬さが下層より柔らかいものを使用するようにするとともに、上層を構成する嵌め込み部材は、少なくとも前記フォームの硬さや反発弾性等の各物性のうち何れか１つ以上が異なる２種類以上の部材から構成されている。
前記フォーム材としては軟質ポリウレタンフォームやポリエチレンフォーム等が挙げられ、一般にマットレスに用いているものであれば特に限定されない。
【００１２】
嵌め込み部材を凸条部に嵌め込んでマットレスとした場合に、フォーム本来の体圧分散性が発揮され、更に、嵌め込み部材の物性を少なくとも２種類以上異ならせることで、各個人の体型や、体調や好み等にきめ細かく対応させることができる。また、下層より硬さの低い素材であるため、下層上面の凸条部や凹条部の有する体圧分散性を良好に活かすことができる。
【００１３】
また、嵌め込み部材を５〜１５個に分割する理由は、５個未満であると、嵌め込み部材が下層から外れやすくなるとともに、マットレスの局所的な物性の変化に限度が生じて、個人の好み等に細かく合わせられなくなる虞があり、一方１５個を超えると、嵌め込みにくくなって組立てが難しくなるからである。
また、嵌め込み部材を下層の凸条部に嵌め込むが、この構成によって、下層の凸条部間に設けられる凹条部に、隣接する嵌め込み部材同士のアンダーカット形状部を両方嵌め込むことになり、該アンダーカット形状部同士がお互いに密接し、凹条部から抜けにくくなる。
【００１４】
このため、上層のそれぞれの嵌め込み部材や下層の分割された部材の物性を、複数種類のものを準備し、これらを任意に組み合わせ可能にしておくことが好ましい。
【発明の効果】
【００１５】
下層と上層からなるマットレスにおいて、両者を接着剤等で接合することなく、離脱しにくいアンダーカット形状部によって一体化し、上層を複数の嵌め込み部材から構成することにより、通気性の低下を発生させず、且つ体型や好み、体調の変化等にも細かく対応することができる。また、下層を複数の部材から構成することで、収納時等に小型化できて便利であり、マットレスの局部的な特性を一層変化させることができ、多様性が増す。
【図面の簡単な説明】
【００１６】
【図１】本発明に係る組立て式マットレスの一実施例の分解斜視図である。
【図２】（ａ）は同マットレスを組立てた状態の平面図、（ｂ）は同側面図である。
【図３】下層上面の凸条部と嵌め込み部材の嵌合部を示す拡大図である。
【発明を実施するための形態】
【００１７】
本発明に係る組立て式マットレスは、各個人の体型や好み等に合わせて、体圧に応じた細かい体圧分散を図り、良好な寝心地が得られるマットレスを提供できる。また、下層と上層からなるマットレスにおいて、両者の積層を接着剤による接着や、熱融着による貼り合わせ等で一体化することがないため、積層面に接着層や熱融着層が成形されず、マットレスに使用される素材本来の体圧分散性や通気性を発揮することができる。しかも、マットレスの局所的な特性の変化を簡易に行うことができるため、体型や好み、体調などが変化した場合でもきめ細かく対応することができる。
【００１８】
すなわち、本発明に係る組立て式マットレス１の一例は、図１に示すように、軟質ポリウレタンフォームから構成され、且つ長手方向に複数個に分割される下層分割体２と、これら下層分割体２を接合する軟質ポリウレタンフォーム製の継ぎ手部材３と、軟質ポリウレタンフォームから構成され、且つ上層を形成する複数の嵌め込み部材４を備えており、本実施例では、下層分割体２は３分割されるとともに、それぞれの下層分割体２の上面には、マットレスの長手方向に対してそれぞれ５本の凸条部２ｔが、等間隔にマットレスの横幅方向一杯に形成されており、嵌め込み部材４は、それぞれの凸条部２ｔに嵌め込むことができるよう、合計１５個設けられている。
【００１９】
また、嵌め込み部材４は、それぞれの凸条部２ｔに嵌め込むだけで抜けにくく一体化できるようにされており、下層分割体２と嵌め込み部材４とは、使用者が嵌め込み部材４の配置を変更する際等の任意の時期に分離や接合が容易にできるようにされている。
【００２０】
前記凸条部２ｔの断面形状は、図３に示すように、凸条部２ｔにおける頭部の横幅ｘが下方の立上り部の横幅ｙに対して両側に広がって幅広となる略T字形状をしており、その高さ２ｈ１は、２０ｍｍ以上としている。ここで、前記高さ２ｈ１を２０ｍｍ未満とした場合、以下に述べる嵌め込み部材４を嵌めにくくなり、且つ嵌めた後にも、外れやすくなる。
なお、前記凸条部２ｔの断面形状において、頭部の幅広となる形状は、図３に示すように、角のない曲線形状で両側に広がっていることが好ましい。幅広となる形状を前記曲線形状とすることで、嵌め込み部材４が下層から外れにくくなるとともに、凸条部２ｔへの嵌め込み作業が容易となる。
【００２１】
また、凸条部２ｔの数は、前述のような嵌め込み部材４の数に対応して、マットレス全体の合計で５〜１５本とするのが好ましい。前記合計が１５本を超える場合、凸条部２ｔ同士の幅が狭くなりすぎて嵌め込み部材４を嵌め込みにくくなる。一方、５本未満とした場合、凸条部２ｔに嵌め込むはめ込み部材４が同様に５個未満となるため、嵌め込み部材４が凸条部２ｔから外れやすくなり、且つマットレスの局所的な物性の変化に限度が生じて、個人の好み等に細かく合わせられなくなる虞がある。
【００２２】
なお、嵌め込み部材４を嵌め込む際、１個の嵌め込み部材４に対して嵌め込む凸条部２ｔの数は１〜３本までとすることが好ましく、より好ましくは、１本の凸条部２ｔに対して嵌め込み部材４を１個だけ嵌め込むようにすることが好ましい。
こうすることにより、凸条部２ｔ間に設けられる凹条部２ｄに隣接する嵌め込み部材４のアンダーカット形状部４ｋ同士が両方嵌め込まれて、お互いに密接し、凹条部２ｄから抜けにくくすることができる。
【００２３】
なお、１個の嵌め込み部材４につき、３本を超える凸条部２ｔを嵌合させるようにすると、上下層でたわみが異なるため、使用時や持ち運び時などに端から浮いて外れやすくなる。
【００２４】
因みに、下層分割体２の下面の所定箇所には、硬さを調整するための溝ｍを横幅方向に沿って設けており、本実施例では、中央部の下層分割体２の硬さを比較的高くし、これに隣接する下層分割体２の隣接部分周辺の硬さを比較的低くするようにしている。また、下層分割体２の隣接する側面の所定箇所には、継ぎ手部材３を嵌合させるための溝ｎ（図１）を設けている。
【００２５】
次に、上層としての嵌め込み部材４の下面には、前記下層２の凸条部２ｔを嵌合させるため、凸条部２ｔの断面形状と同形の溝が形成されており、凸条部２ｔの立上り部（図３の幅ｙに対応する箇所）が、それぞれ両側から内側に張出すアンダーカット形状部４ｋとされている。
【００２６】
そして、前記継ぎ手部材３は、その断面形状が、両端部ｗの厚みが中央部（腹部ｚ（図１を参照））よりも厚い略Ｈ字形状であり、腹部ｚの厚みが２０ｍｍ以上に構成され、また、ＪＩＳ  Ｋ  ６４００に準拠した硬さを１００Ｎ以上としている。なお、前記両端部ｗの厚みは前記腹部ｚの厚みの１．５倍以上であることが好ましい。この際、前記腹部ｚの厚みが２０ｍｍ未満であったり、硬さ（４０％圧縮時）が１００Ｎ未満といった場合、マットレスとして組み立てた状態で持ち運びするとき、マットレスが垂れて持ち運びが難しくなる。また、前記両端部ｗの厚みが前記腹部ｚの厚みの１．５倍未満であると、持ち運びの際等に下層分割体２同士が外れやすくなる虞がある。
【００２７】
以上のような継ぎ手部材３で連結される下層分割体２の凸条部２ｔに嵌め込み部材４の凹部を嵌め込んでマットレス１を構成するが、マットレスとして安定した状態で固定するためには、嵌め込み部材４の厚み４ｈを５０ｍｍ以上、下層分割体２における凸条部２ｔを除いた部分の厚み２ｈ２を８０ｍｍ以上、マットレス１の総厚みを１３０ｍｍ以上にすることが好ましい。
【００２８】
以上のような組立て式マットレス１において、分割された下層分割体２や、継ぎ手部材３や、嵌め込み部材４の連結は、全て接着剤を使用したり、熱融着接着法が採用されないで連結されるため、接着剤層や熱融着層がなく、通気性の確保が図れると同時に、軟質ポリウレタフォーム等のマットレスを構成する素材本来の体圧分散性を得ることができる。
【００２９】
また、上層を構成する嵌め込み部材４は凸条部２ｔに対して嵌め込み、取り外しが自由であり、しかもこれらの物性を異ならせるたり、物性の異なる下層分割体２の位置を変更したりすることで、例えば、好みの変化や、体型変化が著しい子供の成長等にきめ細かく対応することができる。
【００３０】
ところで、マットレスを構成する素材としてウレタンフォームの中でも、無膜化処理を施した無膜ウレタンフォームを使用するようにすれば、通気性、通水性の一層の向上が図られて好適である。
【００３１】
なお、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【００３２】
体型の変化や好みの変化などに対応してマットレスの硬さなどの物性を局所的に変化させることができるため、マットレス業界等における広い普及が期待される。
【符号の説明】
【００３３】
１・・・組立て式マットレス
２・・・下層分割体
２ｔ・・・凸条部
２ｄ・・・凸条部間で挟まれる凹条部
２ｈ１・・・凸条部の高さ
２ｈ２・・・凸条部を除いた下層の厚み
ｘ・・・凸条部における頭部の横幅
ｙ・・・凸条部における立上り部の横幅
３・・・継ぎ手部材
ｎ・・・継ぎ手部材を嵌合させるための溝
ｚ・・・継ぎ手部材における腹部
ｗ・・・継ぎ手部材における両端部
ｍ・・・硬さを調整するための溝
４・・・嵌め込み部材
４ｈ・・・上層の厚み
４ｋ・・・アンダーカット形状部
【図１】
2015000319.tif 000003
【図２】
2015000319.tif 000004
【図３】
2015000319.tif 000005